(57)【要約】【課題】本発明は、駆動能力が高いソースドライバ及び表示装置を提供する。【解決手段】本発明に係るソースドライバは、表示パネルに駆動電圧を供給するために用いられ、出力バッファと、出力バッファと表示パネルを接続する第一スイッチと、第二スイッチを介して出力バッファに接続される第一電極と、第一電源に接続される第二電極と、第一スイッチと表示パネルとの間に接続される第三電極を備える第一トランジスタと、第三スイッチを介して出力バッファに接続される第一電極と、第二電源に接続される第二電極と、第一トランジスタの第三電極に接続される第三電極を備える第二トランジスタと、一端が第三電源に接続され、他端が第二スイッチと第一トランジスタの第一電極との間に接続される第四スイッチと、一端が第四電源に接続され、他端が第三スイッチと第二トランジスタの第一電極との間に接続される第五スイッチとを備える。【選択図】図２
2012234177.tif 000002
【特許請求の範囲】
【請求項１】
表示パネルに駆動電圧を供給するために用いられるソースドライバにおいて、
駆動電圧を出力するために用いられる第一出力端子と、
第一制御信号及び第二制御信号をそれぞれ出力するために用いられる第二出力端子及び第三出力端子を備える出力バッファと、
一端が前記第一出力端子に接続され、他端が前記表示パネルに接続される第一スイッチと、
第二スイッチと、
前記第二スイッチを介して前記第二出力端子に接続される第一電極と、
第一電源に接続される第二電極及び、前記第一スイッチと前記表示パネルとの間に接続される第三電極を備える第一トランジスタと、
第三スイッチと、
前記第三スイッチを介して第三出力端子に接続される第一電極と、
第二電源に接続される第二電極と、
前記第一トランジスタの第三電極に接続される第三電極を備える第二トランジスタと、
一端が第三電源に接続され、他端が前記第二スイッチと前記第一トランジスタの第一電極との間に接続される第四スイッチと、
一端が第四電源に接続され、他端が前記第三スイッチと前記第二トランジスタの第一電極との間に接続される第五スイッチと、を備えることを特徴とするソースドライバ。
【請求項２】
前記第一スイッチ、前記第二スイッチ及び前記第三スイッチは、第一制御信号によって同時にオンまたはオフされ、前記第四スイッチ及び前記第五スイッチは、第二制御信号によって同時にオンまたはオフされることを特徴とする請求項１に記載のソースドライバ。
【請求項３】
前記第一スイッチ、前記第二スイッチ及び前記第三スイッチが同時にオンになると、前記第四スイッチ及び前記第五スイッチは同時にオフになり、前記第一スイッチ、前記第二スイッチ及び前記第三スイッチが同時にオフになると、前記第四スイッチ及び第五スイッチは同時にオンになることを特徴とする請求項２に記載のソースドライバ。
【請求項４】
前記第二スイッチ及び前記第三スイッチがオンになると、前記第一トランジスタ及び前記第二トランジスタは、第一制御信号及び第二制御信号をそれぞれ受信した後、オンになり、前記第四スイッチ及び第五スイッチがオンになると、第三電源及び第四電源は、前記第一トランジスタ及び前記第二トランジスタをそれぞれオンにする電圧を出力することを特徴とする請求項３に記載のソースドライバ。
【請求項５】
表示パネル及び前記表示パネルに駆動電圧を供給するソースドライバを備える表示装置において、請求項１〜４のいずれか一項に記載のソースドライバを備えることを特徴とする表示装置。
【発明の詳細な説明】
【技術分野】
【０００１】
本発明は、ソースドライバ及び表示装置に関するものである。
【背景技術】
【０００２】
図１に示すように、従来のソースドライバ８００は、表示パネル９００に電圧を提供するために用いられ、第一ラッチ１０及び第二ラッチ２０と、第一レベルシフト１２及び第二レベルシフト２２と、第一デジタル・アナログ変換器１４及び第二デジタル・アナログ変換器２４と、第一出力バッファ１５及び第二出力バッファ２５と、第一スイッチ１６及び第二スイッチ２６と、第一抵抗Ｒ１及び第二抵抗Ｒ２と、電荷分配スイッチ３０と、第一出力端子１８及び第二出力端子２８と、を備える。前記第一スイッチ１６及び第二スイッチ２６は、第一制御信号によって制御され、前記電荷分配スイッチ３０は、第二制御信号によって制御される。前記第一抵抗Ｒ１及び前記第二抵抗Ｒ２は、静電気放電保護抵抗であり、各抵抗値はＲである。
【０００３】
液晶分子の特性が破壊されることを防止するために、液晶分子における駆動電圧を、常に極性反転させなければならない。また、前記ソースドライバ８００の前記第一出力端子１８及び前記第二出力端子２８は、必ずどちらかが正電圧レベル或いは負電圧レベルである必要がある。そのため、前記ソースドライバ８００は、前記電荷分配スイッチ３０によって、前記表示パネル９００が駆動する度に、電荷分配を行い、電量を節約する。
【０００４】
前記第一スイッチ１６及び前記第二スイッチ２６が第一制御信号によってオフになっている時、前記電荷分配スイッチ３０は第二制御信号によってオンになっている。この時、前記第一デジタル・アナログ変換器１４は、デジタル表示信号を駆動電圧に変換した後、該駆動電圧を前記第一出力バッファ１５に送信する。前記第二デジタル・アナログ変換器２４は、デジタル表示信号を駆動電圧に変換した後、該駆動電圧を前記第二出力バッファ２５に送信する。負荷端の電荷は、前記電荷分配スイッチ３０によって再分配され、前記ソースドライバ８００の前記第一出力端子１８及び前記第二出力端子２８の電位は、中間値に達する。
【０００５】
前記第一スイッチ１６及び前記第二スイッチ２６が第一制御信号によってオンになっている時、前記電荷分配スイッチ３０は第二制御信号によってオフになっている。前記第一出力バッファ１５は、前記第一スイッチ１６及び前記第一抵抗Ｒ１を介して、前記第一出力端子１８に負駆動電圧を出力する。前記第二出力バッファ２５は、前記第二スイッチ２６及び前記第二抵抗Ｒ２を介して、前記第二出力端子２８に正駆動電圧を出力する。
【０００６】
しかし、前記第一スイッチ１６及び前記第二スイッチ２６は、一般的にトランジスタスイッチであり、該トランジスタスイッチがオンになると、電気抵抗に等しくなり、前記第一スイッチ１６及び前記第二スイッチ２６の等価抵抗は、前記ソースドライバ８００の駆動能力を低減させる。
【発明の概要】
【発明が解決しようとする課題】
【０００７】
前記課題を解決するために、本発明は、駆動能力が高いソースドライバ及び表示装置を提供する。
【課題を解決するための手段】
【０００８】
本発明に係るソースドライバは、表示パネルに駆動電圧を供給するために用いられ、駆動電圧を出力するために用いられる第一出力端子と、第一制御信号と第二制御信号を出力するためにそれぞれ用いられる第二出力端子及び第三出力端子を備える出力バッファと、一端が前記第一出力端子に接続され、他端が前記表示パネルに接続される第一スイッチと、第二スイッチと、前記第二スイッチを介して、前記第二出力端子に接続される第一電極と、第一電源に接続される第二電極と、前記第一スイッチと前記表示パネルとの間に接続される第三電極を備える第一トランジスタと、第三スイッチと、前記第三スイッチを介して前記第三出力端子に接続される第一電極と、第二電源に接続される第二電極と、前記第一トランジスタの前記第三電極に接続される第三電極を備える第二トランジスタと、一端が第三電源に接続され、他端が前記第二スイッチと前記第一トランジスタの前記第一電極との間に接続される第四スイッチと、一端が第四電源に接続され、他端が前記第三スイッチと前記第二トランジスタの前記第一電極との間に接続される第五スイッチと、を備える。
【０００９】
また、本発明に係る表示装置は、表示パネル及び前記表示パネルに駆動電圧を供給する前記ソースドライバを備える。
【発明の効果】
【００１０】
従来の技術と比べて、本発明に係るソースドライバ及び表示装置は、第一トランジスタ、第二トランジスタ、第四スイッチ、第五スイッチが設置されている。従って、第一電源が表示パネルを充電する際、及び表示パネルが第二トランジスタによって放電する際、第一スイッチを通過しない。従って、前記第一スイッチによって制限されないため、前記ソースドライバの駆動能力を向上させることができる。
【図面の簡単な説明】
【００１１】
【図１】従来の表示装置の回路図である。
【図２】本発明の実施形態に係る表示装置の回路図である。
【発明を実施するための形態】
【００１２】
以下、図面を参照して、本発明の実施形態について説明する。
【００１３】
図２を参照すると、本発明の実施形態に係る表示装置１００は、ソースドライバ２００及び表示パネル３００を備える。前記ソースドライバ２００は、前記表示パネル３００に複数の駆動電圧を供給するために用いられる。本実施形態において、前記表示パネル３００は、液晶ディスプレイ（ＬＣＤ）である。
【００１４】
前記ソースドライバ２００は、ラッチ４０と、レベルシフト４２と、デジタル・アナログ変換器４４と、出力バッファ４５と、第一スイッチＳ１と、第二スイッチＳ２と、第三スイッチＳ３と、第四スイッチＳ４と、第五スイッチＳ５と、第一トランジスタＱ１と、第二トランジスタＱ２及び静電気放電保護抵抗ＲＥＳＤと、を備える。
【００１５】
前記ラッチ４０は、一行の複数のローレベルデジタル表示信号をラッチするために用いられ、前記レベルシフト４２は、該ラッチされた複数のローレベルデジタル表示信号を、複数のハイレベルデジタル表示信号にそれぞれ変換した後、該複数のハイレベルデジタル表示信号を前記デジタル・アナログ変換器４４に送信し、前記デジタル・アナログ変換器４４は、変換された前記複数のハイレベルデジタル表示信号を、複数の駆動電圧にそれぞれ変換し、且つ時間順序によって、順に前記出力バッファ４５に送信する。
【００１６】
前記出力バッファ４５は、第一出力端子４５０、第二出力端子４５２及び第三出力端子４５４を備える。前記第一出力端子４５０は駆動電圧を出力するために用いられ、前記第二出力端子４５２は第一制御信号を出力するために用いられ、第三出力端子４５４は第二制御信号を出力するために用いられる。
【００１７】
前記第一スイッチＳ１の一端は前記第一出力端子４５０に接続され、他端は前記静電気放電保護抵抗ＲＥＳＤを介して、前記表示パネル３００に接続される。
【００１８】
前記第一トランジスタＱ１は、第一電極５０、第二電極５２及び第三電極５４を備える。前記第一トランジスタＱ１の前記第一電極５０は前記第二スイッチＳ２を介して、前記第二出力端子４５２に接続され、前記第一トランジスタＱ１の前記第二電極５２は前記第一電源Ｖ１に接続され、前記第一トランジスタＱ１の前記第三電極５４は前記第一スイッチＳ１と前記静電気放電保護抵抗ＲＥＳＤとの間に接続される。さらに前記第四スイッチＳ４の一端は前記第三電源Ｖ３に接続され、他端は前記第二スイッチＳ２と前記第一トランジスタＱ１の前記第一電極５０の間に接続される。
【００１９】
前記第二トランジスタＱ２は、第一電極６０、第二電極６２及び第三電極６４を備える。前記第二トランジスタＱ２の前記第一電極６０は前記第三スイッチＳ３を介して、前記第三出力端子４５４に接続され、前記第二トランジスタＱ２の前記第二電極６２は前記第二電源Ｖ２に接続され、前記第二トランジスタＱ２の前記第三電極６４は前記第一トランジスタＱ１の前記第三電極５４に接続される。さらに前記第五スイッチＳ５の一端は前記第四電源Ｖ４に接続され、他端は前記第三スイッチＳ３と前記第二トランジスタＱ２の前記第一電極６０の間に接続される。
【００２０】
本実施形態において、前記第一トランジスタＱ１はＰチャネル金属酸化膜半導体電界効果トランジスタであり、前記第二トランジスタＱ２はＮチャネル金属酸化膜半導体電界効果トランジスタである。前記第一トランジスタＱ１及び前記第二トランジスタＱ２の前記第一電極５０、６０はゲート電極であり、前記第二電極５２、６２はソース電極であり、前記第三電極５４、６４はドレイン電極である。
【００２１】
前記第一スイッチＳ１、前記第二スイッチＳ２及び前記第三スイッチＳ３は、第一制御信号によって、同時にオンまたはオフされ、前記第四スイッチＳ４及び前記第五スイッチＳ５は、第二制御信号によって同時にオンまたはオフされる。本実施形態において、前記第一スイッチＳ１、前記第二スイッチＳ２及び前記第三スイッチＳ３が同時にオンになると、前記第四スイッチＳ４及び前記第五スイッチＳ５は同時にオフになる。前記第一スイッチＳ１、前記第二スイッチＳ２及び前記第三スイッチＳ３が同時にオフになると、前記第四スイッチＳ４及び前記第五スイッチＳ５は同時にオンになる。
【００２２】
他の実施形態において、前記第一スイッチＳ１、前記第二スイッチＳ２及び前記第三スイッチＳ３が同時にオンまたはオフされない場合、前記第四スイッチＳ４及び前記第五スイッチＳ５も同時にオンまたはオフされない。前記第二スイッチＳ２がオンになると、前記第四スイッチＳ４もオンになり、前記第二スイッチＳ２がオフになると、前記第四スイッチＳ４もオフになる。前記第三スイッチＳ３がオンになると、前記第五スイッチＳ５もオンになり、前記第三スイッチＳ３はがオフになると、前記第五スイッチＳ５もオフになる。
【００２３】
以下、前記ソースドライバ２００の作動原理を詳しく説明する。
【００２４】
前記第一スイッチＳ１、前記第二スイッチＳ２及び前記第三スイッチＳ３が同時にオフになった場合、前記第四スイッチＳ４及び前記第五スイッチＳ５は同時にオンになる。この時、前記第三電源Ｖ３は、前記第一トランジスタＱ１をオンにする電圧を出力し、前記第四電源Ｖ４は、前記第二トランジスタＱ２をオンにする電圧を出力し、負荷端は、電荷分配を行う。
【００２５】
また、前記第一スイッチＳ１、前記第二スイッチＳ２及び前記第三スイッチＳ３が同時にオンになった場合、前記第四スイッチＳ４及び前記第五スイッチＳ５は同時にオフになる。この時、前記第一トランジスタＱ１のゲート電極が、前記出力バッファ４５の前記第二出力端子４５２からの第一制御信号を受信するために、前記第一トランジスタＱ１は、オンになっている。また、前記第二トランジスタＱ２のゲート電極が、前記出力バッファ４５の前記第三出力端子４５４からの第二制御信号を受信するために、前記第二トランジスタＱ２は、オンになっている。前記出力バッファ４５の前記第一出力端子４５０が出力した駆動電圧及び前記第一電源Ｖ１は、前記静電気放電保護抵抗ＲＥＳＤを介して、前記表示パネル３００にそれぞれ充電することができる。
【００２６】
また、前記出力バッファ４５の前記第一出力端子４５０及び前記第二トランジスタＱ２は、それぞれ放電することができる。その過程において、前記静電気放電保護抵抗ＲＥＳＤを介して、前記第一出力端子４５０が出力した駆動電圧を、前記表示パネル３００を充電する際、及び前記表示パネル３００が前記第一出力端子４５０によって放電される際、前記第一スイッチＳ１の等価抵抗によって制限される。しかし、前記第一電源Ｖ１が前記静電気放電保護抵抗ＲＥＳＤを介して、前記表示パネル３００を充電する際、及び前記表示パネル３００が前記第二トランジスタＱ２によって放電される際、前記第一スイッチＳ１を通過しないため、前記第一スイッチＳ１によって制限されない。従って、前記表示パネル３００の充電及び放電能力を向上させることができる。
【符号の説明】
【００２７】
１００  表示装置
８００、２００  ソースドライバ
３００、９００  表示パネル
１６、Ｓ１  第一スイッチ    
２６、Ｓ２  第二スイッチ    
Ｓ３  第三スイッチ
Ｓ４  第四スイッチ
Ｓ５  第五スイッチ
Ｑ１  第一トランジスタ
Ｑ２  第二トランジスタ
Ｖ１  第一電源
Ｖ２  第二電源
Ｖ３  第三電源
Ｖ４  第四電源
ＲＥＳＤ  静電気放電保護抵抗
１５、２５、４５  出力バッファ
１８、４５０  第一出力端子
２８、４５２  第二出力端子
４５４  第三出力端子
１０、２０、４０  ラッチ
１２，２２、４２  レベルシフト
１４、２４、４４  デジタル・アナログ変換器
３０  電荷分配スイッチ
Ｒ１  第一抵抗
Ｒ２  第二抵抗
５０、６０  第一電極    
５２、６２  第二電極
５４、６４  第三電極
【図１】
2012234177.tif 000003
【図２】
2012234177.tif 000004